(57)【特許請求の範囲】
【請求項１】
第１コネクタと、第２コネクタと、アダプタとを備える同軸コネクタであって、
前記第１コネクタは、軸方向に延びる第１中心導体と、前記軸方向と直交する径方向において前記第１中心導体から離れて位置する第１外部導体とを備えており、
前記第２コネクタは、前記軸方向に延びる第２中心導体と、前記径方向において前記第２中心導体から離れて位置する第２外部導体とを備えており、
前記アダプタは、前記軸方向の両端において前記第１コネクタ及び前記第２コネクタと夫々嵌合するものであり、
前記アダプタは、前記第１中心導体と前記第２中心導体とに接続される中心コンタクトと、前記第１外部導体と前記第２外部導体とに接続される外部コンタクトと、前記中心コンタクトと前記外部コンタクトとを互いに絶縁する絶縁部材とを備えており、
前記外部コンタクトは、第１端部と、第２端部と、主部とを有しており、
前記第１端部及び前記第２端部は、前記軸方向において互いから離れて位置しており、且つ、前記第１外部導体及び前記第２外部導体に夫々接続されるものであり、
前記主部は、前記第１端部と前記第２端部とを連結しており、
前記外部コンタクトには、前記第１端部から前記第２端部に向けて延びるものの前記第２端部までは達していない複数の第１スリットと、前記第２端部から前記第１端部に向けて延びるものの前記第１端部までは達していない複数の第２スリットとが形成されており、
前記第１スリットと前記第２スリットとは、前記軸方向を中心とする周方向において交互に並んでおり、
前記第１スリット及び前記第２スリットの前記軸方向における位置は、互いに部分的に重なっており、
前記外部コンタクトには、前記第１スリットと前記第２端部との間に位置する第１ストッパと、前記第２スリットと前記第１端部との間に位置する第２ストッパとが設けられており、
前記絶縁部材には、前記第１スリットに受容される少なくとも１つの第１突部と、前記第２スリットに受容される少なくとも１つの第２突部とが形成されており、
前記第１突部は、前記第１ストッパと前記軸方向において対向する第１対向面を有しており、
前記第２突部は、前記第２ストッパと前記軸方向において対向する第２対向面を有している
同軸コネクタ。
【請求項２】
第１コネクタと、第２コネクタと、アダプタとを備える同軸コネクタであって、
前記第１コネクタは、軸方向に延びる第１中心導体と、前記軸方向と直交する径方向において前記第１中心導体から離れて位置する第１外部導体とを備えており、
前記第２コネクタは、前記軸方向に延びる第２中心導体と、前記径方向において前記第２中心導体から離れて位置する第２外部導体とを備えており、
前記アダプタは、前記軸方向の両端において前記第１コネクタ及び前記第２コネクタと夫々嵌合するものであり、
前記アダプタは、前記第１中心導体と前記第２中心導体とに接続される中心コンタクトと、前記第１外部導体と前記第２外部導体とに接続される外部コンタクトと、前記中心コンタクトと前記外部コンタクトとを互いに絶縁する絶縁部材とを備えており、
前記外部コンタクトは、第１端部と、第２端部と、主部とを有しており、
前記第１端部及び前記第２端部は、前記軸方向において互いから離れて位置しており、且つ、前記第１外部導体及び前記第２外部導体に夫々接続されるものであり、
前記主部は、前記第１端部と前記第２端部とを連結しており、
前記外部コンタクトには、前記第１端部から前記第２端部に向けて延びるものの前記第２端部までは達していない複数の第１スリットと、前記第２端部から前記第１端部に向けて延びるものの前記第１端部までは達していない複数の第２スリットとが形成されており、
前記第１スリットと前記第２スリットとは、前記軸方向を中心とする周方向において交互に並んでおり、
前記第１スリット及び前記第２スリットの前記軸方向における位置は、互いに部分的に重なっており、
前記中心コンタクトは、前記周方向に延びる第１基部と、前記周方向に延びる第２基部と、複数の第１バネ部と、複数の第２バネ部とを有しており、
前記第１バネ部の夫々は、前記第１基部と前記第２基部とを連結しており、且つ、前記第１コネクタと前記アダプタとが嵌合した際に前記第１中心導体と接触する第１接点を有しており、
前記第２バネ部の夫々は、前記第１基部と前記第２基部とを連結しており、且つ、前記第２コネクタと前記アダプタとが嵌合した際に前記第２中心導体と接触する第２接点を有しており、
前記第１バネ部と前記第２バネ部とは、前記周方向において間隔を空けて交互に位置しており、
前記第１基部と前記第２基部との間の領域であるバネ領域を前記軸方向において前記第１基部に近い第１領域と前記第２基部に近い第２領域とに２等分した場合に、前記第１接点は、いずれも前記第１領域内に位置しており、前記第２接点は、いずれも前記第２領域内に位置している
同軸コネクタ。
【請求項３】
第１コネクタと、第２コネクタと、アダプタとを備える同軸コネクタであって、
前記第１コネクタは、軸方向に延びる第１中心導体と、前記軸方向と直交する径方向において前記第１中心導体から離れて位置する第１外部導体とを備えており、
前記第２コネクタは、前記軸方向に延びる第２中心導体と、前記径方向において前記第２中心導体から離れて位置する第２外部導体とを備えており、
前記アダプタは、前記軸方向の両端において前記第１コネクタ及び前記第２コネクタと夫々嵌合するものであり、
前記アダプタは、前記第１中心導体と前記第２中心導体とに接続される中心コンタクトと、前記第１外部導体と前記第２外部導体とに接続される外部コンタクトと、前記中心コンタクトと前記外部コンタクトとを互いに絶縁する絶縁部材とを備えており、
前記外部コンタクトは、第１端部と、第２端部と、主部とを有しており、
前記第１端部及び前記第２端部は、前記軸方向において互いから離れて位置しており、且つ、前記第１外部導体及び前記第２外部導体に夫々接続されるものであり、
前記主部は、前記第１端部と前記第２端部とを連結しており、
前記外部コンタクトには、前記第１端部から前記第２端部に向けて延びるものの前記第２端部までは達していない複数の第１スリットと、前記第２端部から前記第１端部に向けて延びるものの前記第１端部までは達していない複数の第２スリットとが形成されており、
前記第１スリットと前記第２スリットとは、前記軸方向を中心とする周方向において交互に並んでおり、
前記第１スリット及び前記第２スリットの前記軸方向における位置は、互いに部分的に重なっており、
前記外部コンタクトには、前記第１スリットと前記第２端部との間に位置する第１ストッパと、前記第２スリットと前記第１端部との間に位置する第２ストッパとが設けられており、
前記絶縁部材には、前記第１スリットに受容される少なくとも１つの第１突部と、前記第２スリットに受容される少なくとも１つの第２突部とが形成されており、
前記第１突部は、前記第１ストッパと前記軸方向において対向する第１対向面を有しており、
前記第２突部は、前記第２ストッパと前記軸方向において対向する第２対向面を有しており、
前記中心コンタクトは、前記周方向に延びる第１基部と、前記周方向に延びる第２基部と、複数の第１バネ部と、複数の第２バネ部とを有しており、
前記第１バネ部の夫々は、前記第１基部と前記第２基部とを連結しており、且つ、前記第１コネクタと前記アダプタとが嵌合した際に前記第１中心導体と接触する第１接点を有しており、
前記第２バネ部の夫々は、前記第１基部と前記第２基部とを連結しており、且つ、前記第２コネクタと前記アダプタとが嵌合した際に前記第２中心導体と接触する第２接点を有しており、
前記第１バネ部と前記第２バネ部とは、前記周方向において間隔を空けて交互に位置しており、
前記第１基部と前記第２基部との間の領域であるバネ領域を前記軸方向において前記第１基部に近い第１領域と前記第２基部に近い第２領域とに２等分した場合に、前記第１接点は、いずれも前記第１領域内に位置しており、前記第２接点は、いずれも前記第２領域内に位置している
同軸コネクタ。
【請求項４】
請求項１乃至請求項３のいずれかに記載の同軸コネクタであって、
前記第１スリットの数と前記第２スリットの数は等しい
同軸コネクタ。
【請求項５】
請求項１又は請求項３記載の同軸コネクタであって、
前記第１突部は、前記軸方向と斜交する第１斜面を更に有しており、
前記第１対向面は、前記軸方向において、前記第１斜面と前記第１ストッパとの間に位置しており、
前記第２突部は、前記軸方向と斜交する第２斜面を更に有しており、
前記第２対向面は、前記軸方向において、前記第２斜面と前記第２ストッパとの間に位置している
同軸コネクタ。
【請求項６】
請求項１、請求項３及び請求項５のいずれかに記載の同軸コネクタであって、
前記第１外部導体と前記第２外部導体のうちの前記第２外部導体のみに、前記第２端部をロックするロック部が形成されており、
前記アダプタは、前記ロック部が前記第２端部をロックすることにより、前記第２コネクタに保持されており、
前記第１コネクタを前記アダプタから外す際に、前記第２ストッパと前記第２対向面とが突き当たることにより、前記絶縁部材が前記外部コンタクトから外れてしまうことが防止される
同軸コネクタ。
【請求項７】
請求項１乃至請求項６のいずれかに記載の同軸コネクタであって、
前記外部コンタクトの前記主部は、前記径方向において、前記第１外部導体と前記第２外部導体から離れて位置している
同軸コネクタ。
【請求項８】
請求項７記載の同軸コネクタであって、
前記第１外部導体には、前記第１コネクタと前記アダプタとを嵌合する際に、前記外部コンタクトの前記第１端部をガイドするガイド部が形成されている
同軸コネクタ。
【請求項９】
請求項８記載の同軸コネクタであって、
前記ガイド部は、前記第１コネクタと前記第２コネクタとが前記アダプタを介して接続された際にも、前記第２外部導体と直接接触しないように設けられている
同軸コネクタ。
【請求項１０】
請求項２又は請求項３記載の同軸コネクタであって、
前記第１接点は、前記軸方向において、互いに同じ位置に位置しており、
前記第２接点は、前記軸方向において、互いに同じ位置に位置している
同軸コネクタ。
【請求項１１】
請求項２、請求項３及び請求項１０のいずれかに記載の同軸コネクタであって、
前記軸方向において、前記第１基部と前記第２基部とは同じサイズを有している
同軸コネクタ。
【請求項１２】
請求項２、請求項３、請求項１０及び請求項１１のいずれかに記載の同軸コネクタであって、
前記中心コンタクトは、１枚の金属板からなる部材であり、
前記第１基部の前記軸方向におけるサイズである第１サイズは、前記金属板の厚み以上であり、
前記第２基部の前記軸方向におけるサイズである第２サイズは、前記金属板の厚み以上であり、
前記第１バネ部の前記周方向におけるサイズは、前記金属板の厚み以上であり且つ前記第１サイズと前記第２サイズとのうちの小さい方以下であり、
前記第２バネ部の前記周方向におけるサイズは、前記金属板の厚み以上であり且つ前記第１サイズと前記第２サイズとのうちの小さい方以下である
同軸コネクタ。
【請求項１３】
請求項１乃至請求項１２のいずれかに記載の同軸コネクタであって、
前記軸方向において、前記第１スリットのサイズは、前記外部コンタクトのサイズの半分よりも大きく、
前記軸方向において、前記第２スリットのサイズは、前記外部コンタクトのサイズの半分よりも大きい
同軸コネクタ。
【請求項１４】
請求項１乃至請求項１３のいずれかに記載の同軸コネクタであって、
前記第１コネクタは、第１回路基板に固定されるものであり、
前記第２コネクタは、前記第１回路基板とは異なる第２回路基板に固定されるものである
同軸コネクタ。
【発明の詳細な説明】
【技術分野】
【０００１】
本発明は、同軸コネクタに関し、特に、回路基板同士の接続に適する同軸コネクタに関する。
【背景技術】
【０００２】
図１９に示されるように、特許文献１は、第１コネクタ９１０と、第２コネクタ９２０と、アダプタ９３０とを備える同軸コネクタ９００を開示している。第１コネクタ９１０は、マザーボード９４０に固定されている。アダプタ９３０は、第１コネクタ９１０に嵌合され保持されている。第２コネクタ９２０は、ドーターボード９５０に固定されている。第２コネクタ９２０とアダプタ９３０は、軸方向に沿って互いに嵌合抜去することができる。
【先行技術文献】
【特許文献】
【０００３】
【特許文献１】特開２０００−２１５９５６号公報
【発明の概要】
【発明が解決しようとする課題】
【０００４】
本発明は、基板間距離が短いような場合であっても確実に接続できる構造を備える同軸コネクタを提供することを目的とする。
【課題を解決するための手段】
【０００５】
本発明は、第１の同軸コネクタとして、
第１コネクタと、第２コネクタと、アダプタとを備える同軸コネクタであって、
前記第１コネクタは、軸方向に延びる第１中心導体と、前記軸方向と直交する径方向において前記第１中心導体から離れて位置する第１外部導体とを備えており、
前記第２コネクタは、前記軸方向に延びる第２中心導体と、前記径方向において前記第２中心導体から離れて位置する第２外部導体とを備えており、
前記アダプタは、前記軸方向の両端において前記第１コネクタ及び前記第２コネクタと夫々嵌合するものであり、
前記アダプタは、前記第１中心導体と前記第２中心導体とに接続される中心コンタクトと、前記第１外部導体と前記第２外部導体とに接続される外部コンタクトと、前記中心コンタクトと前記外部コンタクトとを互いに絶縁する絶縁部材とを備えており、
前記外部コンタクトは、第１端部と、第２端部と、主部とを有しており、
前記第１端部及び前記第２端部は、前記軸方向において互いから離れて位置しており、且つ、前記第１外部導体及び前記第２外部導体に夫々接続されるものであり、
前記主部は、前記第１端部と前記第２端部とを連結しており、
前記外部コンタクトには、前記第１端部から前記第２端部に向けて延びるものの前記第２端部までは達していない複数の第１スリットと、前記第２端部から前記第１端部に向けて延びるものの前記第１端部までは達していない複数の第２スリットとが形成されており、
前記第１スリットと前記第２スリットとは、前記軸方向を中心とする周方向において交互に並んでおり、
前記第１スリット及び前記第２スリットの前記軸方向における位置は、互いに部分的に重なっている
同軸コネクタを提供する。
【０００６】
また、本発明は、第２の同軸コネクタとして、第１の同軸コネクタであって、
前記第１スリットの数と前記第２スリットの数は等しい
同軸コネクタを提供する。
【０００７】
また、本発明は、第３の同軸コネクタとして、第１又は第２の同軸コネクタであって、
前記外部コンタクトには、前記第１スリットと前記第２端部との間に位置する第１ストッパと、前記第２スリットと前記第１端部との間に位置する第２ストッパとが設けられており、
前記絶縁部材には、前記第１スリットに受容される少なくとも１つの第１突部と、前記第２スリットに受容される少なくとも１つの第２突部とが形成されており、
前記第１突部は、前記第１ストッパと前記軸方向において対向する第１対向面を有しており、
前記第２突部は、前記第２ストッパと前記軸方向において対向する第２対向面を有している
同軸コネクタを提供する。
【０００８】
また、本発明は、第４の同軸コネクタとして、第３の同軸コネクタであって、
前記第１突部は、前記軸方向と斜交する第１斜面を更に有しており、
前記第１対向面は、前記軸方向において、前記第１斜面と前記第１ストッパとの間に位置しており、
前記第２突部は、前記軸方向と斜交する第２斜面を更に有しており、
前記第２対向面は、前記軸方向において、前記第２斜面と前記第２ストッパとの間に位置している
同軸コネクタを提供する。
【０００９】
また、本発明は、第５の同軸コネクタとして、第３又は第４の同軸コネクタであって、
前記第１外部導体と前記第２外部導体のうちの前記第２外部導体のみに、前記第２端部をロックするロック部が形成されており、
前記アダプタは、前記ロック部が前記第２端部をロックすることにより、前記第２コネクタに保持されており、
前記第１コネクタを前記アダプタから外す際に、前記第２ストッパと前記第２対向面とが突き当たることにより、前記絶縁部材が前記外部コンタクトから外れてしまうことが防止される
同軸コネクタを提供する。
【００１０】
また、本発明は、第６の同軸コネクタとして、第１乃至第５のいずれかの同軸コネクタであって、
前記外部コンタクトの前記主部は、前記径方向において、前記第１外部導体と前記第２外部導体から離れて位置している
同軸コネクタを提供する。
【００１１】
また、本発明は、第７の同軸コネクタとして、第６の同軸コネクタであって、
前記第１外部導体には、前記第１コネクタと前記アダプタとを嵌合する際に、前記外部コンタクトの前記第１端部をガイドするガイド部が形成されている
同軸コネクタを提供する。
【００１２】
また、本発明は、第８の同軸コネクタとして、第７の同軸コネクタであって、
前記ガイド部は、前記第１コネクタと前記第２コネクタとが前記アダプタを介して接続された際にも、前記第２外部導体と直接接触しないように設けられている
同軸コネクタを提供する。
【００１３】
また、本発明は、第９の同軸コネクタとして、第１乃至第８のいずれかの同軸コネクタであって、
前記中心コンタクトは、前記周方向に延びる第１基部と、前記周方向に延びる第２基部と、複数の第１バネ部と、複数の第２バネ部とを有しており、
前記第１バネ部の夫々は、前記第１基部と前記第２基部とを連結しており、且つ、前記第１コネクタと前記アダプタとが嵌合した際に前記第１中心導体と接触する第１接点を有しており、
前記第２バネ部の夫々は、前記第１基部と前記第２基部とを連結しており、且つ、前記第２コネクタと前記アダプタとが嵌合した際に前記第２中心導体と接触する第２接点を有しており、
前記第１バネ部と前記第２バネ部とは、前記周方向において間隔を空けて交互に位置しており、
前記第１基部と前記第２基部との間の領域であるバネ領域を前記軸方向において前記第１基部に近い第１領域と前記第２基部に近い第２領域とに２等分した場合に、前記第１接点は、いずれも前記第１領域内に位置しており、前記第２接点は、いずれも前記第２領域内に位置している
同軸コネクタを提供する。
【００１４】
また、本発明は、第１０の同軸コネクタとして、第９の同軸コネクタであって、
前記第１接点は、前記軸方向において、互いに同じ位置に位置しており、
前記第２接点は、前記軸方向において、互いに同じ位置に位置している
同軸コネクタを提供する。
【００１５】
また、本発明は、第１１の同軸コネクタとして、第９又は第１０の同軸コネクタであって、
前記軸方向において、前記第１基部と前記第２基部とは同じサイズを有している
同軸コネクタを提供する。
【００１６】
また、本発明は、第１２の同軸コネクタとして、第９乃至第１１のいずれかの同軸コネクタであって、
前記中心コンタクトは、１枚の金属板を打ち抜き且つ曲げ加工して得られる部材であり、
前記第１基部の前記軸方向におけるサイズである第１サイズは、前記金属板の厚み以上であり、
前記第２基部の前記軸方向におけるサイズである第２サイズは、前記金属板の厚み以上であり、
前記第１バネ部の前記周方向におけるサイズは、前記金属板の厚み以上であり且つ前記第１サイズと前記第２サイズとのうちの小さい方以下であり、
前記第２バネ部の前記周方向におけるサイズは、前記金属板の厚み以上であり且つ前記第１サイズと前記第２サイズとのうちの小さい方以下である
同軸コネクタを提供する。
【００１７】
また、本発明は、第１３の同軸コネクタとして、第１乃至第１２の同軸コネクタであって、
前記軸方向において、前記第１スリットのサイズは、前記外部コンタクトのサイズの半分よりも大きく、
前記軸方向において、前記第２スリットのサイズは、前記外部コンタクトのサイズの半分よりも大きい
同軸コネクタを提供する。
【００１８】
また、本発明は、第１４の同軸コネクタとして、第１乃至第１３のいずれかの同軸コネクタであって、
前記第１コネクタは、第１回路基板に固定されるものであり、
前記第２コネクタは、前記第１回路基板とは異なる第２回路基板に固定されるものである
同軸コネクタを提供する。
【００１９】
更に、本発明は、
周方向に延びる第１基部と、軸方向において前記第１基部から離れていると共に前記周方向に延びる第２基部と、複数の第１バネ部と、複数の第２バネ部とを有するコンタクトであって、
前記第１バネ部の夫々は、前記第１基部と前記第２基部とを連結しており、且つ、第１接点を有しており、
前記第２バネ部の夫々は、前記第１基部と前記第２基部とを連結しており、且つ、第２接点を有しており、
前記第１バネ部と前記第２バネ部とは、前記周方向において間隔を空けて交互に位置しており、
前記第１基部と前記第２基部との間の領域を前記軸方向において前記第１基部に近い第１領域と前記第２基部に近い第２領域とに２等分した場合に、前記第１接点は、いずれも前記第１領域内に位置しており、前記第２接点は、いずれも前記第２領域内に位置している
コンタクトを提供する。
【発明の効果】
【００２０】
第１スリットと第２スリットとを周方向において交互に設けると共に、第１スリットと第２スリットの軸方向における位置が互いに部分的に重なっていることから、外部コンタクトの軸方向のサイズを小さくすることができ、これによって、同軸コネクタの軸方向のサイズを小さくすることができる。このため、基板間距離を短くすることができる。
【図面の簡単な説明】
【００２１】
【図１】本発明の実施の形態による第１コネクタ、第２コネクタ及びアダプタを備える同軸コネクタを示す斜視図である。第１コネクタ、第２コネクタ及びアダプタは、互いに嵌合されていない。
【図２】図１の同軸コネクタを示す斜視図である。アダプタは第２コネクタに取り付けられている。第１コネクタはアダプタとは嵌合されていない。
【図３】図１の同軸コネクタを示す上面図である。第１コネクタ、第２コネクタ及びアダプタは、嵌合されている。
【図４】図３の同軸コネクタをＡ--Ａ線に沿って示す断面図である。
【図５】図３の同軸コネクタをＢ--Ｂ線に沿って示す断面図である。
【図６】図３の同軸コネクタをＣ--Ｃ線に沿って示す断面図である。
【図７】図１の第１コネクタを示す斜視図である。
【図８】図７の第１コネクタを示す断面図である。
【図９】図１の第２コネクタを示す断面図である。
【図１０】図１のアダプタを示す斜視図である。
【図１１】図１０のアダプタを示す側面図である。
【図１２】図１０のアダプタを示す分解斜視図である。
【図１３】図１２のアダプタに含まれる中心コンタクトを示す斜視図である。
【図１４】図１３の中心コンタクトを示す側面図である。
【図１５】図１２のアダプタに含まれる絶縁部材を示す斜視図である。
【図１６】図１５の絶縁部材を示す側面図である。
【図１７】図１５の絶縁部材を示す上面図である。
【図１８】図１２のアダプタに含まれる外部コンタクトを示す側面図である。
【図１９】特許文献１の同軸コネクタを示す断面図である。
【発明を実施するための形態】
【００２２】
図１及び図２を参照すると、同軸コネクタ１０は、第１コネクタ１００と、第２コネクタ２００と、軸方向の両端において第１コネクタ１００及び第２コネクタ２００と夫々嵌合するアダプタ３００とを備えている。実使用状態においては、アダプタ３００は、第２コネクタ２００に嵌合され、取り付けられた状態になっており、第１コネクタ１００のみが、軸方向に沿ってアダプタ３００と嵌合抜去される。図４乃至図６に示されるように、第１コネクタ１００は、第１回路基板７００に固定されるものであり、第２コネクタ２００は、第１回路基板７００とは異なる第２回路基板７５０に固定されるものである。詳しくは、第１コネクタ１００は、表面実装タイプであり、第２コネクタ２００は、スルーホール実装タイプである。
【００２３】
図３、図７及び図８に示されるように、第１コネクタ１００は、第１中心導体１１０と、第１保持部材１２０と、第１外部導体１３０とを備えている。図７及び図８に示されるように、第１中心導体１１０は、軸方向に延びている。第１保持部材１２０は、絶縁体からなるものであり、第１中心導体１１０を保持している。第１外部導体１３０は、第１保持部材１２０を径方向において覆うように第１保持部材１２０に取り付けられ、それによって、第１外部導体１３０は、径方向において第１中心導体１１０から離れて位置している。このようにして、第１中心導体１１０と第１外部導体１３０とは、第１保持部材１２０により径方向において分離絶縁されている。第１外部導体１３０の端部は、径方向に開いており、ガイド部１３２を構成している。
【００２４】
図１及び図９に示されるように、第２コネクタ２００は、第２中心導体２１０と、第２保持部材２２０と、第２外部導体２３０とを備えている。第２中心導体２１０は、軸方向に延びている。第２保持部材２２０は、絶縁体からなるものであり、第２中心導体２１０を保持している。図９に示されるように、第２中心導体２１０は、第２保持部材２２０を貫通して軸方向に長く伸びている。第２外部導体２３０は、第２保持部材２２０を径方向において覆うように第２保持部材２２０に取り付けられ、それによって、第２外部導体２３０は、径方向において第２中心導体２１０から離れて位置している。このようにして、第２中心導体２１０と第２外部導体２３０とは、第２保持部材２２０により径方向において分離絶縁されている。
【００２５】
図９に示されるように、第２外部導体２３０の端部２３２は端部２３２以外と比べて径が小さく、端部２３２と端部２３２以外との間には段差が形成されている。段差は、ロック部２３４として使用される。図７及び図９から理解されるように、このようなロック部２３４は、第１外部導体１３０には形成されていない。即ち、ロック部２３４は、第１外部導体１３０と第２外部導体２３０のうちの第２外部導体２３０のみに形成されている。一方、図７及び図９から理解されるように、上述したようなガイド部１３２は、第１外部導体１３０のみに形成されており、第２外部導体２３０には形成されていない。
【００２６】
図１、図１０及び図１２に示されるように、アダプタ３００は、中心コンタクト４００と、絶縁部材５００と、外部コンタクト６００とを備えている。
【００２７】
図４乃至図６に示されるように、中心コンタクト４００は、第１中心導体１１０と第２中心導体２１０とに接続されるものである。
【００２８】
図１２乃至図１４に示されるように、本実施の形態の中心コンタクト４００は、特殊な形状を有する、即ち、ルーバー形状のバネを有するコンタクトであり、周方向に延びる第１基部４１０と、周方向に延びる第２基部４２０と、複数の第１バネ部４３０と、複数の第２バネ部４４０とを有している。本実施の形態において、第１バネ部４３０の本数は５本であり、第２バネ部４４０の本数は５本である。即ち、第１バネ部４３０と第２バネ部４４０とは同数である。但し、本発明はこれに限定されるわけではなく、第１バネ部４３０の本数と第２バネ部４４０の本数とは互いに異なっていてもよい。
【００２９】
図１２乃至図１４に示されるように、本実施の形態の第１基部４１０と第２基部４２０とは、夫々、Ｃ形状を有しており、径を一時的に小さくすることが可能である。第１基部４１０の軸方向におけるサイズである第１サイズは、金属板の厚み以上である。第２基部４２０の軸方向におけるサイズである第２サイズは、金属板の厚み以上である。特に、本実施の形態の第１基部４１０と第２基部４２０とは軸方向において互いに同じサイズを有している。即ち、第１サイズと第２サイズとは互いに等しい。但し、本発明はこれに限定されるわけではなく、第１基部４１０と第２基部４２０とは互いに異なるサイズを有していてもよい。
【００３０】
図１２乃至図１４に示されるように、第１バネ部４３０と第２バネ部４４０とは、周方向において間隔を空けて交互に位置している。
【００３１】
図１２乃至図１４に示されるように、第１バネ部４３０の夫々は、第１基部４１０と第２基部４２０とを連結している。図４乃至図６と図１２乃至図１４と共に参照すると理解されるように、各第１バネ部４３０は、第１コネクタ１００とアダプタ３００とが嵌合した際に第１中心導体１１０と接触する第１接点４３５を有している。
【００３２】
図１２乃至図１４に示されるように、第２バネ部４４０の夫々は、第１基部４１０と第２基部４２０とを連結している。図４乃至図６と図１２乃至図１４と共に参照すると理解されるように、各第２バネ部４４０は、第２コネクタ２００とアダプタ３００とが嵌合した実使用状態において第２中心導体２１０と接触する第２接点４４５を有している。
【００３３】
図１２乃至図１４に示されるように、第１バネ部４３０の周方向におけるサイズは、金属板の厚み以上であり、第２バネ部４４０の周方向におけるサイズは、金属板の厚み以上である。本実施の形態の第１バネ部４３０と第２バネ部４４０とは、周方向において、互いに同じサイズを有している。第１バネ部４３０や第２バネ部４４０の周方向におけるサイズは、上述した第１サイズと第２サイズとのうちの小さい方と同じ又は小さい方より小さい。そのため、第１基部４１０及び第２基部４２０の形成時に第１基部４１０及び第２基部４２０が歪み変形する可能性を低くすることができる。
【００３４】
図１４に示されるように、第１基部４１０と第２基部４２０との間の領域であるバネ領域ＲＳを軸方向において第１基部４１０に近い第１領域Ｒ１と第２基部４２０に近い第２領域Ｒ２とに２等分した場合に、第１接点４３５は、いずれも第１領域Ｒ１内に位置している。第２接点４４５は、いずれも第２領域Ｒ２内に位置している。特に、第１接点４３５は、軸方向において、互いに同じ位置に位置しており、一方、第２接点４４５は、軸方向において、互いに同じ位置に位置している。
【００３５】
このような構造を有する中心コンタクト４００は、１枚の金属板を打ち抜き且つ曲げ加工して得られるものである。詳しくは、一枚の金属板に対して複数のスリットを形成し、周方向においてスリットの両側に位置する第１バネ部４３０と第２バネ部４４０とに対して第１接点４３５と第２接点４４５とを夫々形成し、更に、第１基部４１０及び第２基部４２０をＣ字状に形成する。このようにして、図１２乃至図１４に示されるような中心コンタクト４００が得られる。
【００３６】
図１０から理解されるように、絶縁部材５００は、中心コンタクト４００を保持すると共に、中心コンタクト４００と外部コンタクト６００とを互いに絶縁している。
【００３７】
図１２、図１５及び図１６に示されるように、本実施の形態の絶縁部材５００は、大径部５１０と、２つの小径部５２０とを有している。２つの小径部５２０は、軸方向において大径部５１０の両端に位置している。換言すると、大径部５１０は、軸方向において、２つの小径部５２０に挟まれている。大径部５１０には、２つの第１突部５３０と、２つの第２突部５４０とが形成されている。各第１突部５３０は、軸方向と直交する第１対向面５３２と、軸方向と斜交する第１斜面５３４とを有している。第１対向面５３２と第１斜面５３４とは、軸方向において、第１突部５３０の両端に位置している。各第２突部５４０は、軸方向と直交する第２対向面５４２と、軸方向と斜交する第２斜面５４４とを有している。第２対向面５４２と第２斜面５４４とは、軸方向において、第２突部５４０の両端に位置している。軸方向において、第１突部５３０と第２突部５４０とは逆向きに向いている。
【００３８】
図１２、図１５及び図１７に示されるように、絶縁部材５００には、保持孔５５０が形成されている。保持孔５５０は、軸方向において絶縁部材５００を貫通している。保持孔５５０の端部近傍には、保持突起５６０が形成されている。詳しくは、保持孔５５０の一端近傍には、３つの保持突起５６０が等間隔に配置されており、保持孔５５０の他端近傍には、３つの保持突起５６０が等間隔に配置されている。図１０から理解されるように、中心コンタクト４００は、保持孔５５０内に受容され、保持される。更に保持突起５６０により、保持孔５５０に保持された中心コンタクト４００が保持孔５５０の外に抜け出てしまうことが防止されている。
【００３９】
図４乃至図６に示されるように、外部コンタクト６００は、第１外部導体１３０と第２外部導体２３０とに接続されるものである。
【００４０】
図１２及び図１８に示されるように、外部コンタクト６００は、第１端部６１０と、第２端部６２０と、主部６３０とを有している。第１端部６１０と第２端部６２０とは、軸方向において互いに離れて位置している。主部６３０は、第１端部６１０と第２端部６２０とを連結している。図４乃至図６に示されるように、第１端部６１０と第２端部６２０とは、外側に突出したくの字状の断面を有している。これら第１端部６１０及び第２端部６２０は、第１外部導体１３０及び第２外部導体２３０に夫々接続されるものである。
【００４１】
図１２及び図１８に示されるように、外部コンタクト６００には、複数の第１スリット６４０と、複数の第２スリット６５０とが形成されている。第１スリット６４０は、夫々、第１端部６１０から第２端部６２０に向けて延びるものの第２端部６２０までは達してしない。第２スリット６５０は、夫々、第２端部６２０から第１端部６１０に向けて延びるものの第１端部６１０までは達してしない。軸方向において第１スリット６４０の終端を構成する端部（即ち、第２端部６２０に近い端部）は、後述する第１ストッパ６４５として機能する。同様に、軸方向において第２スリット６５０の終端を構成する端部（即ち、第１端部６１０に近い端部）は、後述する第２ストッパ６５５として機能する。
【００４２】
第１スリット６４０同士に挟まれた部位は、第１端部６１０を弾性支持するバネ部として機能し、第２スリット６５０同士に挟まれた部位は、第２端部６２０を弾性支持するバネ部として機能する。これらのバネ部により、第１端部６１０や第２端部６２０は、径方向に移動することができる。即ち、弾性変形する。
【００４３】
本実施の形態において、第１スリット６４０の数と第２スリット６５０の数は等しく、また、第１スリット６４０と第２スリット６５０とは、軸方向を中心とする周方向において交互に並んでいる。また、第１スリット６４０及び第２スリット６５０の軸方向における位置は、互いに部分的に重なっている。その結果、第１端部６１０を支持するバネ部には第２スリット６５０の一部が形成されており、第２端部６２０を支持するバネ部には第１スリット６４０の一部が形成されている。このような構造としたことから、外部コンタクト６００の軸方向におけるサイズを小さくしつつ、比較的長いスリットを形成しバネ長の長いバネを得ることができる。具体的には、本実施の形態においては、軸方向において、第１スリット６４０のサイズは、外部コンタクト６００のサイズの半分よりも大きく、第２スリット６５０のサイズは、外部コンタクト６００のサイズの半分よりも大きいため、外部コンタクト６００のサイズが小さくても、第１端部６１０及び第２端部６２０を支持するバネ部のバネ長を大きくとることができる。
【００４４】
上述したような構造を有する外部コンタクト６００は、絶縁部材５００を外部コンタクト６００内に挿入することにより、絶縁部材５００の外周上に取り付けられる。この取り付けの際、第１突部５３０の第１斜面５３４や第２突部５４０の第２斜面５４４が設けられていることから、外部コンタクト６００に対する絶縁部材５００の挿入が容易に行える。この取り付けの結果、第１突部５３０は、第１スリット６４０に受容されており、第２突部５４０は、第２スリット６５０に受容されている。
【００４５】
詳しくは、図１１を参照すると、第１突部５３０の第１対向面５３２は、軸方向において、第１ストッパ６４５と対向しており、第２突部５４０の第２対向面５４２は、軸方向において、第２ストッパ６５５と対向している。また、軸方向において、第１対向面５３２は、第１斜面５３４と第１ストッパ６４５との間に位置しており、第２対向面５４２は、軸方向において、第２斜面５４４と第２ストッパ６５５との間に位置している。更に、第１ストッパ６４５は、第１スリット６４０と第２端部６２０との間に位置しており、第２ストッパ６５５は、第２スリット６５０と第１端部６１０との間に位置している。
【００４６】
更に、図１２に示されるように大径部５１０の軸方向における両端に小径部５２０が設けられていることから、図１０に示されるように第１端部６１０と第２端部６２０の径方向内側にはスペースが形成される。そのため、第１端部６１０や第２端部６２０は、径方向内側に向かって移動可能である。
【００４７】
図２から理解されるように、第２コネクタ２００にアダプタ３００を嵌合した状態において、外部コンタクト６００の主部６３０は、径方向において、第２外部導体２３０から離れて位置している。そのため、アダプタ３００は、外部コンタクト６００のバネ性を利用して、軸方向と直交する平面内において移動可能である。即ち、アダプタ３００は、第２コネクタ２００にフローティング支持されている。このように第２コネクタ２００にフローティング支持されたアダプタ３００と第１コネクタ１００とを嵌合する際、第１端部６１０はガイド部１３２にガイドされ、第１外部導体１３０内に適切に受容される。これにより、図４乃至図６から理解されるように、第１回路基板７００と第２回路基板７５０とを対向させた際に、第１コネクタ１００とアダプタ３００の位置が多少ずれていても、両者の嵌合位置を目視することなく、第１コネクタ１００とアダプタ３００とを適切に嵌合させることができる。
【００４８】
図４に示されるように、第１コネクタ１００と第２コネクタ２００とがアダプタ３００を介して互いに接続した状態において、外部コンタクト６００の主部６３０は、径方向において、第１外部導体１３０から離れて位置している。図４から理解されるように、第１コネクタ１００の第１外部導体１３０とアダプタ３００の外部コンタクト６００とは第１端部６１０のみにおいて接続されており、第２コネクタ２００の第２外部導体２３０とアダプタ３００の外部コンタクト６００とは第２端部６２０のみにおいて接続されている。
【００４９】
図４乃至図６に示されるように、第１コネクタ１００と第２コネクタ２００とがアダプタ３００を介して互いに接続した状態において、ガイド部１３２は、第２外部導体２３０と直接接触しないように設けられている。特に、本実施の形態においては、第１コネクタ１００と第２コネクタ２００とがアダプタ３００を介して互いに接続した状態であって、設計上の基準となる状態においては、アダプタ３００の第１端部６１０及び絶縁部材５００と第１コネクタ１００の第１保持部材１２０との間には空間Ｓが存在している。そのため、第１回路基板７００と第２回路基板７５０との間の距離（基板間距離）が多少変動しても、空間Ｓにより、その変動を吸収することができる。本実施の形態においては、基板間距離が最も短くなったときでも、即ち、アダプタ３００の第１端部６１０や絶縁部材５００が第１コネクタ１００の第１保持部材１２０に突き当り空間Ｓがなくなったときでさえも、ガイド部１３２は第２外部導体２３０と直接接触しない。そのため、基板間距離が最小の場合であっても、第１コネクタ１００と第２コネクタ２００との軸方向と直交する面内におけるズレを確実に吸収しつつ、アダプタ３００を介して第１コネクタ１００と第２コネクタ２００とを確実に接続することができる。
【００５０】
図４乃至図６に示されるように、第２端部６２０は、アダプタ３００が第２コネクタ２００に嵌合した状態において、第２外部導体２３０のロック部２３４にロックしている。一方、前述したように、第１コネクタ１００には、ロック部２３４のような部位が設けられていない。そのため、第１回路基板７００に固定した第１コネクタ１００と第２回路基板７５０に固定した第２コネクタ２００とをアダプタ３００を介して互いに接続した状態において、第１回路基板７００と第２回路基板７５０を互いに離れる方向に移動させると、アダプタ３００と第２コネクタ２００との嵌合は維持されたまま、アダプタ３００から第１コネクタ１００が抜去される。この際、第２ストッパ６５５（図１１参照）と第２対向面５４２とが突き当たることにより、絶縁部材５００が外部コンタクト６００から外れてしまうことが防止される。
【００５１】
以上、本発明の実施の形態について具体的に説明してきたが、本発明はこれに限定されるわけではなく、様々な変形などが可能である。例えば、図１に示されたガイド部１３２は、第１外部導体１３０の端部に切り込みを入れて開いてあるが、本発明はこれに限定されるわけではなく、シャーカットで剪断変形した端部を形成した後、筒状に巻いて第１外部導体１３０を形成することで、切れ込みを有さないガイド部を形成することとしてもよい。
【符号の説明】
【００５２】
１０        同軸コネクタ
１００        第１コネクタ
１１０        第１中心導体
１２０        第１保持部材
１３０        第１外部導体
１３２        ガイド部
２００        第２コネクタ
２１０        第２中心導体
２２０        第２保持部材
２３０        第２外部導体
２３２        端部
２３４        ロック部
３００        アダプタ
４００        中心コンタクト
４１０        第１基部
４２０        第２基部
４３０        第１バネ部
４３５        第１接点
４４０        第２バネ部
４４５        第２接点
５００        絶縁部材
５１０        大径部
５２０        小径部
５３０        第１突部
５３２        第１対向面
５３４        第１斜面
５４０        第２突部
５４２        第２対向面
５４４        第２斜面
５５０        保持孔
５６０        保持突起
６００        外部コンタクト
６１０        第１端部
６２０        第２端部
６３０        主部
６４０        第１スリット
６４５        第１ストッパ
６５０        第２スリット
６５５        第２ストッパ
７００        第１回路基板
７５０        第２回路基板
ＲＳ        バネ領域
Ｒ１        第１領域
Ｒ２        第２領域
Ｓ        空間
【要約】
【課題】基板間距離が短いような場合であっても確実に接続できる構造を備える同軸コネクタを提供すること。
【解決手段】アダプタ３００の外部コンタクト６００には、第１コネクタ１００の第１外部導体１３０に接続される第１端部６１０と、第２コネクタ２００の第２外部導体２３０に接続される第２端部６２０と、第１端部６１０から第２端部６２０に向けて延びるものの第２端部６２０までは達していない複数の第１スリット６４０と、第２端部６２０から第１端部６１０に向けて延びるものの第１端部６１０までは達していない複数の第２スリット６５０とが形成されている。第１スリット６４０と第２スリット６５０とは、周方向において交互に並んでおり、第１スリット６４０及び第２スリット６５０の軸方向における位置は、互いに部分的に重なっている。
【選択図】図１【図１】
0005872000.tif 000002
【図２】
0005872000.tif 000003
【図３】
0005872000.tif 000004
【図４】
0005872000.tif 000005
【図５】
0005872000.tif 000006
【図６】
0005872000.tif 000007
【図７】
0005872000.tif 000008
【図８】
0005872000.tif 000009
【図９】
0005872000.tif 000010
【図１０】
0005872000.tif 000011
【図１１】
0005872000.tif 000012
【図１２】
0005872000.tif 000013
【図１３】
0005872000.tif 000014
【図１４】
0005872000.tif 000015
【図１５】
0005872000.tif 000016
【図１６】
0005872000.tif 000017
【図１７】
0005872000.tif 000018
【図１８】
0005872000.tif 000019
【図１９】
0005872000.tif 000020